(57)【要約】【課題】メンテナンスが容易で、空気調和機内に安定して取付けられるフィルター装置を提供する。【解決手段】エアフィルター５を設けたフィルター枠２と、エアフィルター５上の塵埃を吸引すると共に移動可能な吸入ノズル４と、一端が吸入ノズル４に連結された吸い込みダクト３と、吸入側が吸い込みダクト３の他端に連結され、排気側に排気ダクト７が接続された吸引排気装置６を備え、上端が空気調和機（図示せず）の台枠（図示せず）の上部に、下端が空気調和機の吹出しグリル（図示せず）の上部にそれぞれ取り付けたもので、吸入ノズル４が自動で移動しながらエアフィルター５上の塵埃を吸引するので、エアフィルター５のメンテナンスが極めて容易で、しかも上端が強固な台枠に取り付けられ、下端が吹出しグリルの上部に取り付けられるので空気調和機内に安定した状態で取付けられる。【選択図】図１
2005321126.tif 000002
【特許請求の範囲】
【請求項１】
エアフィルターを設けたフィルター枠と、前記エアフィルター上の塵埃を吸引すると共に移動可能な吸入ノズルと、一端が前記吸入ノズルに連結された吸い込みダクトと、吸入側が前記吸い込みダクトの他端に連結され、排気側に排気ダクトが接続された吸引排気装置を備え、上端が空気調和機に内蔵された台枠の上部に、下端が前記空気調和機に設けた吹出しグリルの上部にそれぞれ取り付けられるようにしたフィルター装置。
【請求項２】
上端に、台枠の上部に備えた引っ掛け穴部に引っ掛けるための引っ掛け突起を設けた請求項１に記載のフィルター装置。
【請求項３】
下端に、吹出しグリルの上部に備えた引っ掛け突起に引っ掛けるための引っ掛け穴部を設けた請求項１又は２に記載のフィルター装置。
【請求項４】
下側両端部を吹出しグリルの上側両端部にネジ止めするようにした請求項１〜３のいずれか１項に記載のフィルター装置。
【請求項５】
上端部に、台枠に当接する複数の当て突起を設けた請求項１〜４のいずれか１項に記載のフィルター装置。
【請求項６】
熱交換器と、台枠と、前記熱交換器で熱交換された空気を吹き出す吹出しグリルと、前記熱交換器に流入する空気中の塵埃を除去するフィルター装置とを備え、前記フィルター装置は、エアフィルターを設けたフィルター枠と、前記エアフィルター上の塵埃を吸引すると共に移動可能な吸入ノズルと、一端が前記吸入ノズルに連結された吸い込みダクトと、吸入側が前記吸い込みダクトの他端に連結され、排気側に排気ダクトが接続された吸引排気装置を備え、前記フィルター装置の上端を前記台枠の上部に、下端を前記吹出しグリルの上部にそれぞれ取り付けたことを特徴とする空気調和機。
【発明の詳細な説明】
【技術分野】
【０００１】
本発明は、フィルターの清掃を自動的に行うようにしたフィルター装置並びにそれを用いた空気調和機に関するものである。
【背景技術】
【０００２】
空気調和機等に用いられる従来のフィルター装置について、図６、７を用いて説明する。図６は、従来のフィルター装置が搭載された空気調和機の正面図で、図７は、同空気調和機の断面図である。
【０００３】
フィルター装置１７は、空気調和機本体１４内部に塵埃が侵入するのを防ぐために、空気調和機本体１４内に内蔵された熱交換器１０の前面に設けられ、このフィルター装置１７は、それに付着した塵埃を手、ブラシ、掃除機等で清掃できるように、空気調和機本体１４に着脱自在に取着されていた。
【０００４】
一方、エアフィルターの清掃を容易にするために、回転ブラシと、ブラシカバーと、前記回転ブラシに同軸に設けられるピニオンからなるフィルターブラシから構成されたエアフィルターの清掃手段を備えた空気調和機がある（例えば、特許文献１参照）。
【０００５】
また、捕集装置と、清浄装置と、吸込み機構と、前記吸込み機構に繋がる担持ビームと、前記担持ビームに接続されたホースと真空発生器などでフィルター装置を構成したものもある（例えば、特許文献２参照）。
【０００６】
さらに、ベルト状のフィルターを張設した駆動軸及び従動軸と、サーボモータと、ブラシと、排気管に配設された塵埃センサー及びファンと、前記フィルターの連続使用時間を算出する演算処理手段と、制御手段とを備えた空気調和機もある（例えば、特許文献３参照）。
【特許文献１】特開平１１−２２６３３１号公報（第２頁、第１〜４図）
【特許文献２】特開平１−７５０２０号公報（第１〜９頁、第４図）
【特許文献３】特開平６−７４５２１号公報（第２頁、第１図）
【発明の開示】
【発明が解決しようとする課題】
【０００７】
しかしながら、上記従来の着脱式のフィルター装置では、それを設けた空気調和機の使用頻度に応じて空気調和機より取り外し、水洗いもしくは掃除機などで付着した塵埃を掃除するというメンテナンスを周期的に行なう必要があった。この周期的なメンテナンスが成されなかった場合、フィルター装置に塵埃が堆積し、吸込み空気の通気抵抗が増大するため空気調和機の性能が低下し、かつ消費電力が増大するという課題があった。
【０００８】
また、回転ブラシと、ブラシカバーと、前記回転ブラシに同軸に設けられるピニオンからなるフィルターブラシから構成されたエアフィルターの清掃手段を備えたものや、捕集装置と、清浄装置と、吸込み機構と、前記吸込み機構に繋がる担持ビームと、前記担持ビームに接続されたホースと真空発生器などでフィルター装置を構成したものは、動作手段に制約があったり、集塵後の塵埃処理の手間が発生するなどして、決して使用勝手の良いものとはいえなかった。
【０００９】
また、ベルト状のフィルターを張設した空気調和機においても、動作手段に制約があったり、本体サイズが拡大化するなどの課題を有していた。
【００１０】
本発明は、上記課題を解決するもので、メンテナンスが容易で、空気調和機本体内部に安定した状態で確実に取付けられ、搭載される空気調和機等の性能維持、及び消費電力の増大防止を図ることができるフィルター装置およびそれを用いた空気調和機を提供する事を目的とする。
【課題を解決するための手段】
【００１１】
前記従来の課題を解決するために、本発明のフィルター装置は、エアフィルターを設けたフィルター枠と、前記エアフィルター上の塵埃を吸引すると共に移動可能な吸入ノズルと、一端が前記吸入ノズルに連結された吸い込みダクトと、吸入側が前記吸い込みダクトの他端に連結され、排気側に排気ダクトが接続された吸引排気装置を備え、上端が空気調和機に内蔵された台枠の上部に、下端が前記空気調和機に設けた吹出しグリルの上部にそれぞれ取り付けられるようにしたもので、吸入ノズルが自動で移動しながらエアフィルター上の塵埃を吸引するので、エアフィルターのメンテナンスが極めて容易で、搭載される空気調和機等の機器の性能維持、及び消費電力の増大防止を図ることができる。しかもフィルター装置の上端が空気調和機の強固な台枠に取り付けられ、下端が吹出しグリルの上部に取り付けられるので空気調和機本体内部に安定した状態で取付けることができる。さらに、排気ダクトより吸引された塵埃をそのまま外部に排出するようにすれば、塵埃を除去する作業が不要となり、極めて使用勝手の良いフィルター装置を提供する事ができる。
【００１２】
また、本発明の空気調和機は、熱交換器と、台枠と、前記熱交換器で熱交換された空気を吹き出す吹出しグリルと、前記熱交換器に流入する空気中の塵埃を除去するフィルター装置とを備え、前記フィルター装置は、エアフィルターを設けたフィルター枠と、前記エアフィルター上の塵埃を吸引すると共に移動可能な吸入ノズルと、一端が前記吸入ノズルに連結された吸い込みダクトと、吸入側が前記吸い込みダクトの他端に連結され、排気側に排気ダクトが接続された吸引排気装置を備え、前記フィルター装置の上端を前記台枠の上部に、下端を前記吹出しグリルの上部にそれぞれ取り付けたもので、吸入ノズルが移動しながらエアフィルター上の塵埃を吸引するので、エアフィルターのメンテナンスが極めて容易で、長期に渡って高い熱交換効率を維持する事ができ、しかもフィルター装置の上端が空気調和機の強固な台枠に、下端が吹出しグリルの上部にそれぞれ取り付けられているので、フィルター装置の固定が安定して確実に行なわれ、信頼性の高い空気調和機を提供する事ができる。
【発明の効果】
【００１３】
本発明のフィルター装置は、メンテナンスが容易で、空気調和機本体内部に安定した状態で確実に取付けられ、搭載される空気調和機等の性能維持、及び消費電力の増大防止を図ることができる。
【発明を実施するための最良の形態】
【００１４】
第１の発明は、エアフィルターを設けたフィルター枠と、前記エアフィルター上の塵埃を吸引すると共に移動可能な吸入ノズルと、一端が前記吸入ノズルに連結された吸い込みダクトと、吸入側が前記吸い込みダクトの他端に連結され、排気側に排気ダクトが接続された吸引排気装置を備え、上端が空気調和機に内蔵された台枠の上部に、下端が前記空気調和機に設けた吹出しグリルの上部にそれぞれ取り付けられるようにしたもので、吸入ノズルが自動で移動しながらエアフィルター上の塵埃を吸引するので、エアフィルターのメンテナンスが極めて容易で、搭載される空気調和機等の機器の性能維持、及び消費電力の増大防止を図ることができる。しかもフィルター装置の上端が空気調和機の強固な台枠に取り付けられ、下端が吹出しグリルの上部に取り付けられるので空気調和機本体内部に安定した状態で取付けることができる。さらに、排気ダクトより吸引された塵埃をそのまま外部に排出するようにすれば、塵埃を除去する作業が不要となり、極めて使用勝手の良いフィルター装置を提供する事ができる。
【００１５】
第２の発明は、特に、第１の発明のフィルター装置の上端に、台枠の上部に備えた引っ掛け穴部に引っ掛けるための引っ掛け突起を設けたもので、フィルター装置の上端の台枠上部への取付けが極めて容易になる。
【００１６】
第３の発明は、特に、第１又は第２の発明のフィルター装置の下端に、吹出しグリルの上部に備えた引っ掛け突起に引っ掛けるための引っ掛け穴部を設けたもので、フィルター装置下部の取付け作業を容易に行うことができる。
【００１７】
第４の発明は、特に、第１〜３のいずれか１つの発明のフィルター装置の下側両端部を吹出しグリルの上側両端部にネジ止めするようにしたもので、フィルター装置の下端部を空気調和機本体内に確実に固定することができるとともに、振動によるビビリ音等が発生することもない。
【００１８】
第５の発明は、特に、第１〜４のいずれか１つの発明のフィルター装置の上端部に、台枠に当接する複数の当て突起を設けたもので、フィルター装置と本体内部との接触部での擦れによる異常音発生を防止することができる。
【００１９】
第６の発明は、熱交換器と、台枠と、前記熱交換器で熱交換された空気を吹き出す吹出しグリルと、前記熱交換器に流入する空気中の塵埃を除去するフィルター装置とを備え、前記フィルター装置は、エアフィルターを設けたフィルター枠と、前記エアフィルター上の塵埃を吸引すると共に移動可能な吸入ノズルと、一端が前記吸入ノズルに連結された吸い込みダクトと、吸入側が前記吸い込みダクトの他端に連結され、排気側に排気ダクトが接続された吸引排気装置を備え、前記フィルター装置の上端を前記台枠の上部に、下端を前記吹出しグリルの上部にそれぞれ取り付けたもので、吸入ノズルが移動しながらエアフィルター上の塵埃を吸引するので、エアフィルターのメンテナンスが極めて容易で、長期に渡って高い熱交換効率を維持する事ができ、しかもフィルター装置の上端が空気調和機の強固な台枠に、下端が吹出しグリルの上部にそれぞれ取り付けられているので、フィルター装置の固定が安定して確実に行なわれ、信頼性の高い空気調和機を提供する事ができる。
【００２０】
以下、本発明の実施の形態について、図面を参照しながら説明する。なお、この実施の形態によって本発明が限定されるものではない。
【００２１】
（実施の形態１）
図１（ａ）は、本発明の第１の実施の形態におけるフィルター装置の斜視図、図１（ｂ）は、吸入ノズルの側断面図、図１（ｃ）は同吸入ノズルの縦断面図、図２は、フィルター装置を搭載した空気調和機の正面図、図３は、同空気調和機の断面図である。
【００２２】
図１において、フィルター装置１は、フィルター枠２と、フィルター枠２に設けられたエアフィルター５と、エアフィルター５の上流側表面に沿うように設けられると共に移動可能な吸入ノズル４と、一端が吸入ノズル４に連結された吸い込みダクト３と、吸引側が吸い込みダクト３の他端に連結された吸引排気装置６と、一端が吸引排気装置６の排気側に連結され他端が外部に開放された排気ダクト７と、吸入ノズル４に接続され吸入ノズル４を左右に移動させるための駆動用ワイヤー８と、駆動用ワイヤー８を駆動する駆動モータ９とを備えている。
【００２３】
フィルター装置１の上端部には、引っ掛け突起２ａが、また、下端部には、引っ掛け穴部２ｂがそれぞれ両側に設けられている。吸入ノズル４には、エアフィルター５の上流側表面に対向するスリット状の吸入口４ａが設けられている。
【００２４】
空気調和機本体１４は、台枠１１と、熱交換器１０と、熱交換器１０に風を取り入れるファン１５と、熱交換器１０で熱交換された空気を吹き出す吹出しグリル１２とを備えている。台枠１１上部には、フィルター装置１の引っ掛け突起２ａを引っ掛ける引っ掛け穴部１１ａが設けられている。
【００２５】
吹出しグリル１２の上部には、フィルター装置１の引っ掛け穴部２ｂに引っ掛けられる引っ掛け突起１２ａが設けられている。
【００２６】
図４は、フィルター装置１の空気調和機本体１４への取付け方法を示すもので、図４（ａ）に示すように、フィルター装置１の上端部を角度Ｃ°傾斜させて、フィルター装置１の引っ掛け突起２ａを、台枠１１側の引っ掛け穴部１１ａに挿入し、図４（ｂ）の矢印のように水平状態に戻すとともに、図５に示すように、フィルター装置１の下端部に設けた引っ掛け穴部２ｂを吹出しグリル１２上部に設けた引っ掛け突起１２ａに引っ掛けることで、フィルター装置１の上部、下部の空気調和機本体１４への取付け作業を完了する。
【００２７】
以上のように構成されたフィルター装置１の動作、作用について説明する。
【００２８】
空気調和機本体１４の運転停止後に、吸引排気装置６が運転開始し、吸い込みダクト３に設置された吸入ノズル４の吸入口４ａから空気を吸い込み始める。そして、エアフィルター５の片側端に位置していた吸入ノズル４が、駆動モータ９に連結された駆動用ワイヤー８によって矢印Ａ方向に移動し、その間エアフィルター５の上流側表面に付着している塵埃が吸入口４ａから吸引され、その塵埃は吸い込みダクト３、吸引排気装置６を通り、排気ダクト７を経て室外に吐き出される。
【００２９】
ここで、吸入ノズル４が、片側から移動開始しエアフィルター５の表面を全面清掃し、対向する片側端まで移動したときに駆動モータ９を逆回転させれば、吸入ノズル４は元の位置まで戻り、もう一度エアフィルター５の表面を清掃することが可能となる。また、エアフィルター５の表面で吸引された塵埃が、排気ダクト７を通じて外部に排出されるので、定期的に堆積した塵埃を廃棄する等といった作業が不要になり、使用勝手が極めて良いものである。
【００３０】
また、本実施の形態では、フィルター装置１の上端部を空気調和機本体１４内部の台枠１１上部に取付け、さらにフィルター装置１の下端部を空気調和機本体１４内部の吹出しグリル１２の上部に取付けることにより、空気調和機本体１４内部に安定した状態で取付けることができる。
【００３１】
また、本実施の形態では、フィルター装置１の上端部が、堅固な台枠１１の上部に取付けられるので、フィルター装置１の上端部固定の安定化を図ることができる。さらにフィルター装置１の下部を吹出しグリル１２上部に引っ掛けるようにしたので、フィルター装置１の取付け作業を容易に行うことができる。
【００３２】
また、図１、３、５に示すように、フィルター装置１の下側両端部にネジ固定用の座２ｃを設け、さらに吹出しグリル１２の上側両端部の前記座２に対向する位置にネジボス１２ｂを設けて、フィルター装置１の座２ｃを、吹出しグリル１２のネジボス１２ｂにネジ１３で固定するようにすれば、フィルター装置１を空気調和機本体１４に強固に、また確実に固定することができる。
【００３３】
また、図４（ｂ）に示すように、フィルター装置１の上端部面に、台枠１１に設けた引っ掛け穴部１１ａの内面に当接する複数の当て突起２ｄを設けることにより、フィルター装置１と本体１４内部との接触部での擦れによる異常音発生を防止することができる。なお、上記当て突起２ｄは、台枠１１の引っ掛け穴部１１ａの内面以外の箇所に当接するようにしても良い。
【産業上の利用可能性】
【００３４】
以上のように、本発明に係るフィルター装置は、メンテナンスが容易で、空気調和機本体内部に安定した状態で確実に取付けられ、搭載される空気調和機等の性能維持、及び消費電力の増大防止を図ることができるので、空気調和機に限らず、塵埃、固形物、粒状体を捕捉するようなフィルター装置や、それを用いた機器にも広く適用できるものである。
【図面の簡単な説明】
【００３５】
【図１】（ａ）本発明の実施の形態１におけるフィルター装置の斜視図（ｂ）同フィルター装置の吸入ノズルの側断面図（ｃ）同吸入ノズルの縦断面図
【図２】同フィルター装置を搭載した空気調和機の正面図
【図３】同空気調和機の断面図
【図４】（ａ）同フィルター装置の上部取り付け部（図３のＡ部）の断面図（取り付け前）、（ｂ）同上部取り付け部（Ａ部）の断面図（取り付け後）
【図５】同フィルター装置の下部取り付け部（図３のＢ部）の断面図
【図６】従来のフィルター装置を搭載した空気調和機の正面図
【図７】図６のＡ−Ａ断面図
【符号の説明】
【００３６】
１  フィルター装置
２  フィルター枠
２ａ  引っ掛け突起
２ｂ  引っ掛け穴部
３  吸い込みダクト
４  吸入ノズル
５  エアフィルター
６  吸引排気装置
７  排気ダクト
１０  熱交換器
１１  台枠
１１ａ  引っ掛け穴部
１２  吹出しグリル
１２ａ  引っ掛け突起
１３  ネジ
１４  空気調和機本体
【図１】
2005321126.tif 000003
【図２】
2005321126.tif 000004
【図３】
2005321126.tif 000005
【図４】
2005321126.tif 000006
【図５】
2005321126.tif 000007
【図６】
2005321126.tif 000008
【図７】
2005321126.tif 000009